(57)【要約】      （修正有）【課題】容易でスムーズに取付け・取外しを可能とし、工具収納袋が個体で多様な場所に取付が出来き、作業状況、作業形態、作業場所、に依る、事故、障害等を無くす事ができる工具収納袋を提供する。【解決手段】工具収納袋本体１の裏側にマグネットクリップ２を取付け、工具収納袋の脱落防止の為、連結具としてストラップ３を腰ベルトの裏側を回し、工具収納袋本体１の中程に穴６を開け、そこにリング４を取付て、フック７を穴６かリング４のそのどちらかに引掛け、工具収納袋が腰ベルトからの脱落防止を行う。マグネットクリップ２に依り、腰ベルトを通さずに工具収納袋を腰ベルトに差込み挟んで取付け、クリップ２ａを摘まんで取外しを可能とする。【選択図】図１
0003211499.tif 000002
【実用新案登録請求の範囲】
【請求項１】
工具収納部（９）を表側に備えた工具収納袋本体（１）と、前記工具収納袋本体（１）の裏側に取付けられ、マグネット（２ｂ）とクリップ（２ａ）で形成されたマグネットクリップ（２）と、工具収納袋の脱落を防止するための連結具（３）から成ることを特徴とする工具収納袋。
【請求項２】
前記工具収納袋本体（１）の上部の裏側に前記マグネットクリップ（２）が留金（５）で取付けられていることを特徴とする請求項１に記載の工具収納袋。
【請求項３】
前記連結具（３）の一方の端がマグネットクリップ（２）に取付けられ、他の端に着脱可能なフック（７）が取付けられていることを特徴とする請求項１または請求項２に記載の工具収納袋。
【請求項４】
前記連結具（３）がストラップ、紐、鎖のいずれかであり、前記フック（７）に引掛けるリング（４）を取り付けるための穴（６）が前記工具収納袋本体（１）に設けられていることを特徴とする請求項１〜３のいずれか１項に記載の工具収納袋。    
【考案の詳細な説明】
【技術分野】
【０００１】
本考案は、腰ベルト等に着脱が容易で、落下防止が可能な工具収納袋に関する。
【背景技術】
【０００２】
電気工事、建築工事等に於いて  従来の工具収納袋（工具差し）はその作業形態、作業現場、作業環境に即対応出来ない物であった。即ち、腰ベルトに工具収納袋を通して装着し固定されている為に要対応時に脱着も面倒で作業性、安全性にも劣る。また宅内での作業時に於いても家具調度品、柱などに工具収納袋が接触し傷を付けた。又、狭い場所の座り作業時等の作業形態に依っては腰ベルトに付けた工具収納袋が邪魔になり、  機械設備を破損したり、作業者も工具の出し入れ時に工具で怪我を負う事も有り、作業性・安全性、作業能率が悪い。  
【先行技術文献】
【特許文献】
【０００３】
【特許文献１】実用新案登録第３０３７２６５
【考案の概要】
【考案が解決しようとする課題】
【０００４】
本来の工具収納袋は腰ベルトに通し固定し装着されていて  工具収納袋が作業場所等で邪魔に成り外したい時は、その脱着が面倒で工具袋の移動も出来ず作業性が悪く、設備に対する安全性にも欠いた。作業時の場所や作業形態により、工具収納袋を、腰ベルト（バンド）から容易に取付け・取り外し．が出来て安全で作業能率が上がる最適な場所への取付が容易でスムーズに出来る必要がある。
【課題を解決するための手段】
【０００５】
本考案の工具収納袋は、工具収納部（９）を表側に備えた工具収納袋本体（１）と、前記工具収納袋本体（１）の裏側に取付けられ、マグネット（２ｂ）とクリップ（２ａ）で形成されたマグネットクリップ（２）と、工具収納袋の脱落を防止するための連結具（３）から成ることを特徴とする。これにより、容易に取付け・取外しを可能とし、マグネット（２ｂ）に依り垂直な鉄製の壁、柱に取付が出来、工具収納袋の取付範囲が多様化に成り、又工具収納袋が作業中に腰バンド８からの落下防止ができる。
【考案の効果】
【０００６】
本考案の工具収納袋は宅内作業等の作業時及び狭隘スペースでの作業時に於いてその作業状況に依っては工具収納袋の取外しが必要に成る場合が多く有る。その様な時、腰ベルト（バンド）を通さずに差込で挟むだけで取付けられて居る為に取外しが容易でスムーズに出来る。又マグネットクリップで、鉄製の壁．柱の垂直面に取付や、電工袋．作業服のポッケトに挟む事が出来る。作業時に工具収納袋の腰ベルトからの脱防止には、連結具であるストラップの一方をマグネットクリップに取付、他の一方にフックを付け、それを腰ベルトの裏に廻し、そのフックを工具収納袋本体の中程に開けた穴かそれに付いているリングかどちらかに、着脱の容易なフックを引掛けることにより工具収納袋の腰ベルトからの脱落防止を図った。
【図面の簡単な説明】
【０００７】
【図１】本考案の工具収納袋の正面図である。
【図２】工具収納袋の裏面図である。
【図３】工具収納袋の側面図である。
【図４】工具収納袋を腰バンドに挟み取付を示す図である。
【図５】工具収納袋を鉄製の壁に取付た図である。
【考案を実施するための形態】
【０００８】
工具を収納するための工具収納部９を表側に備えた工具収納袋本体１の上部の裏側（腰ベルト８に接する側）に、マグネット２ｂとクリップ２ａで形成されたマグネットクリップ２を留金５で取付けている。工具収納袋が作業中に物に当ったりして腰バンド８から脱落するのを防止する為に、連結具であるストラップ３の一端をマグネットクリップ２に取付け、ストラップ３の他端には脱着の容易なフック７を取付ける。この様に、本考案の工具収納袋は、工具収納袋本体１と、マグネットクリップ２と連結具であるストラップ３で構成されている。
【０００９】
本考案の工具収納袋は、腰ベルト８に工具収納袋を通さずにマグネットクリップ２を腰ベルト８に差込で挟み、作業場所、作業環境、作業形態、に依り工具収納袋の取外しが必要な時に容易にスムーズに取外しが可能である。又取り外した工具収納袋は、クリップ２ａに依り作業服のポッケトや電工袋等にも挟んで取付けが出来る。又マグネット２ｂに依り鉄製の壁や柱の垂直面にも取付けが出来る。それぞれの作業状況に応じて、作業能率が上り安全で作業形態の最適な場所に工具収納袋の取付が可能であり、作業範囲も多様化される。
【００１０】
又工具収納袋が作業中に物に当って脱落するのを防ぐ為に、連結具のストラップ３をマグネットクリップ２の一端に取り付け、他の端には脱着容易なフック７を付ける。図４に示すように、そのストラップ３を腰ベルト８の裏側に回し、工具収納袋本体１の中程に穴６を開け、それにリング４を通し、ストラップ３の端に付けた脱着の容易なフック７を、リング４に引掛けることで、工具収納袋が腰バンド８からの脱落を防止できる。このように取付が多様で容易に出来、安全で作業能率が上り、作業形態に合った最適な所に工具収納袋は取付られる。尚、連結具としては、ストラップ３以外にも、紐、鎖等を使用する事もある。又ストラップ３の端のフック７はリング４だけではなく、穴６に引掛けて使用する事もある。  
【符号の説明】
【００１１】
１  工具収納袋本体
２  マグネットクリップ                                              
２ａ  クリップ
２ｂ  マグネット
３  ストラップ（連結具）
４  リング
５  留金
６  穴  
７  フック  
８  腰ベルト
９  工具収納部
【図１】
0003211499.tif 000003
【図２】
0003211499.tif 000004
【図３】
0003211499.tif 000005
【図４】
0003211499.tif 000006
【図５】
0003211499.tif 000007
【手続補正書】
【提出日】平成29年5月16日(2017.5.16)
【手続補正１】
【補正対象書類名】実用新案登録請求の範囲
【補正対象項目名】全文
【補正方法】変更
【補正の内容】
【実用新案登録請求の範囲】
【請求項１】
工具収納部（９）を表側に備えた工具収納袋本体（１）と、前記工具収納袋本体（１）の裏側に取付けられ、マグネット（２ｂ）とクリップ（２ａ）で形成されたマグネットクリップ（２）と、工具収納袋の脱落を防止するための連結具（３）から成ることを特徴とする工具収納袋。
【請求項２】
前記工具収納袋本体（１）の上部の裏側に前記マグネットクリップ（２）が留金（５）で取付けられていることを特徴とする請求項１に記載の工具収納袋。
【請求項３】
前記連結具（３）の一方の端がマグネットクリップ（２）に取付けられ、他の端に着脱可能なフック（７）が取付けられていることを特徴とする請求項１または請求項２に記載の工具収納袋。
【請求項４】
前記連結具（３）がストラップ、紐、鎖のいずれかであり、前記フック（７）に引掛けるリング（４）を取り付けるための穴（６）が前記工具収納袋本体（１）に設けられていることを特徴とする請求項３に記載の工具収納袋。